(57)【特許請求の範囲】
【請求項１】
放送波を受信して録画する情報処理装置において、
受信した時報に基づいて、ＲＴＣ（Real Time Clock）の時刻を修正する修正手段と、
ユーザによる録画開始時刻および録画終了時刻の入力を補助するための、設定画面の表示を制御する第１の表示制御手段と、
設定された前記録画開始時刻に対して、早く録画を開始させるための、前記録画開始時刻の調整時間を複数用意し、ユーザに、その中から選択させるための設定画面の表示を制御する第２の表示制御手段と、
設定された前記録画終了時刻に対して、遅く録画を終了させるための、前記録画終了時刻の調整時間を複数用意し、ユーザに、その中から選択させるための設定画面の表示を制御するする第３の表示制御手段と、
前記第１乃至第３の表示制御手段により表示が制御された設定画面を参照して入力された前記録画のための設定の読み込みを制御する読み込み制御手段と、
前記読み込み制御手段により読み込みが制御された、前記設定の保存を制御する保存制御手段と
を備え、
前記第１の表示制御手段は、前記修正手段によって前記ＲＴＣの時刻が修正されていない場合、前記時刻が修正されていない旨の表示を制御する
ことを特徴とする情報処理装置。
【請求項２】
放送波を受信して録画する情報処理装置の情報処理方法において、
受信した時報に基づいて、ＲＴＣ（Real Time Clock）の時刻を修正する修正ステップと、
ユーザによる録画開始時刻および録画終了時刻の入力を補助するための、設定画面の表示を制御する第１の表示制御ステップと、
設定された前記録画開始時刻に対して、早く録画を開始させるための、前記録画開始時刻の調整時間を複数用意し、ユーザに、その中から選択させるための設定画面の表示を制御する第２の表示制御ステップと、
設定された前記録画終了時刻に対して、遅く録画を終了させるための、前記録画終了時刻の調整時間を複数用意し、ユーザに、その中から選択させるための設定画面の表示を制御するする第３の表示制御ステップと、
前記第１乃至第３の表示制御ステップの処理により表示が制御された設定画面を参照して入力された前記録画のための設定の読み込みを制御する読み込み制御ステップと、
前記読み込み制御ステップの処理により読み込みが制御された、前記設定の保存を制御する保存制御ステップと
を含み、
前記第１の表示制御ステップは、前記修正ステップの処理によって前記ＲＴＣの時刻が修正されていない場合、前記時刻が修正されていない旨の表示を制御する
ことを特徴とする情報処理方法。
【請求項３】
放送波を受信して録画する情報処理装置用のプログラムであって、
受信した時報に基づいて、ＲＴＣ（Real Time Clock）の時刻を修正する修正ステップと、
ユーザによる録画開始時刻および録画終了時刻の入力を補助するための、設定画面の表示を制御する第１の表示制御ステップと、
設定された前記録画開始時刻に対して、早く録画を開始させるための、前記録画開始時刻の調整時間を複数用意し、ユーザに、その中から選択させるための設定画面の表示を制御する第２の表示制御ステップと、
設定された前記録画終了時刻に対して、遅く録画を終了させるための、前記録画終了時刻の調整時間を複数用意し、ユーザに、その中から選択させるための設定画面の表示を制御するする第３の表示制御ステップと、
前記第１乃至第３の表示制御ステップの処理により表示が制御された設定画面を参照して入力された前記録画のための設定の読み込みを制御する読み込み制御ステップと、
前記読み込み制御ステップの処理により読み込みが制御された、前記設定の保存を制御する保存制御ステップと
を含み、
前記第１の表示制御ステップは、前記修正ステップの処理によって前記ＲＴＣの時刻が修正されていない場合、前記時刻が修正されていない旨の表示を制御する
ことを特徴とするコンピュータが読み取り可能なプログラムが記録されているプログラム記録媒体。
【発明の詳細な説明】
【０００１】
【発明の属する技術分野】
本発明は、情報処理装置および方法、並びにプログラム記録媒体に関し、特に、録画開始時間および録画終了時間に対して、予め用意された複数の調整時間が、設定画面に表示され、ユーザは、設定画面を参照して、複数の調整時間から、所望の時間を選ぶことができるため、例えば、内蔵時計の遅れによって、録画したい番組の先頭が録画できなかったり、放送の延長などにより、録画したい番組が最後まで録画できないようなことがないように、簡単に開始時刻および終了時刻の調整を設定することができる情報処理装置および方法、並びにプログラム記録媒体に関する。
【０００２】
【従来の技術】
パーソナルコンピュータに、チューナを内蔵し、テレビジョン放送局から画像および音声の信号を受信し、受信した画像および音声を所定のデジタルデータに変換して、ハードディスクなどの記録媒体に記録し、必要に応じて再生する技術が利用されるようになりつつある。
【０００３】
また、録画したい番組の開始時刻と終了時刻を予め設定しておき、その設定に基づいて、自動的に録画を開始させ、終了させる、録画予約が広く行われている。
【０００４】
【発明が解決しようとする課題】
しかしながら、例えば、内蔵時計の遅れによって、録画したい番組の先頭が録画できなかったり、放送の延長などにより、録画したい番組が最後まで録画できないような場合があった。それを防ぐためには、番組の開始時刻と、終了時刻を、上述したような事情を加味して設定しなおさなければならず、例えば、複数の番組の録画予約を設定する際に、操作が非常に困難なものになってしまう。
【０００５】
本発明はこのような状況に鑑みてなされたものであり、録画開始時間および録画終了時間に対して、予め用意された複数の調整時間が設定画面に表示され、ユーザは、設定画面を参照して、複数の調整時間から、所望の時間を選ぶことができるため、例えば、内蔵時計の遅れによって、録画したい番組の先頭が録画できなかったり、放送の延長などにより、録画したい番組が最後まで録画できないようなことがないように、簡単に開始時刻および終了時刻の調整を設定することができるようにするものである。
【０００６】
【課題を解決するための手段】
本発明の画像処理装置は、受信した時報に基づいて、ＲＴＣ（Real Time Clock）の時刻を修正する修正手段と、ユーザによる録画開始時刻および録画終了時刻の入力を補助するための、設定画面の表示を制御する第１の表示制御手段と、設定された録画開始時刻に対して、早く録画を開始させるための、録画開始時刻の調整時間を複数用意し、ユーザに、その中から選択させるための設定画面の表示を制御する第２の表示制御手段と、設定された録画終了時刻に対して、遅く録画を終了させるための、録画終了時刻の調整時間を複数用意し、ユーザに、その中から選択させるための設定画面の表示を制御するする第３の表示制御手段と、第１乃至第３の表示制御手段により表示が制御された設定画面を参照して入力された録画のための設定の読み込みを制御する読み込み制御手段と、読み込み制御手段により読み込みが制御された、設定の保存を制御する保存制御手段とを備え、第１の表示制御手段は、修正手段によってＲＴＣの時刻が修正されていない場合、時刻が修正されていない旨の表示を制御することを特徴とする。
【０００７】
本発明の情報処理方法は、受信した時報に基づいて、ＲＴＣの時刻を修正する修正ステップと、ユーザによる録画開始時刻および録画終了時刻の入力を補助するための、設定画面の表示を制御する第１の表示制御ステップと、設定された録画開始時刻に対して、早く録画を開始させるための、録画開始時刻の調整時間を複数用意し、ユーザに、その中から選択させるための設定画面の表示を制御する第２の表示制御ステップと、設定された録画終了時刻に対して、遅く録画を終了させるための、録画終了時刻の調整時間を複数用意し、ユーザに、その中から選択させるための設定画面の表示を制御するする第３の表示制御ステップと、第１乃至第３の表示制御ステップの処理により表示が制御された設定画面を参照して入力された録画のための設定の読み込みを制御する読み込み制御ステップと、読み込み制御ステップの処理により読み込みが制御された、設定の保存を制御する保存制御ステップとを含み、第１の表示制御ステップは、修正ステップの処理によってＲＴＣの時刻が修正されていない場合、時刻が修正されていない旨の表示を制御することを特徴とする。
【０００８】
本発明のプログラム記録媒体に記録されているプログラムは、受信した時報に基づいて、ＲＴＣの時刻を修正する修正ステップと、ユーザによる録画開始時刻および録画終了時刻の入力を補助するための、設定画面の表示を制御する第１の表示制御ステップと、設定された録画開始時刻に対して、早く録画を開始させるための、録画開始時刻の調整時間を複数用意し、ユーザに、その中から選択させるための設定画面の表示を制御する第２の表示制御ステップと、設定された録画終了時刻に対して、遅く録画を終了させるための、録画終了時刻の調整時間を複数用意し、ユーザに、その中から選択させるための設定画面の表示を制御するする第３の表示制御ステップと、第１乃至第３の表示制御ステップの処理により表示が制御された設定画面を参照して入力された録画のための設定の読み込みを制御する読み込み制御ステップと、読み込み制御ステップの処理により読み込みが制御された、設定の保存を制御する保存制御ステップとを含み、第１の表示制御ステップは、修正ステップの処理によってＲＴＣの時刻が修正されていない場合、時刻が修正されていない旨の表示を制御することを特徴とする。
【０００９】
本発明の情報処理装置、情報処理方法、およびプログラム記録媒体に記録されているプログラムにおいては、受信した時報に基づいて、ＲＴＣの時刻が修正され、ユーザによる録画開始時刻および録画終了時刻の入力を補助するための、設定画面の表示が制御され、設定された録画開始時刻に対して、早く録画を開始させるための、録画開始時刻の調整時間が複数用意され、ユーザに、その中から選択させるための設定画面の表示が制御され、設定された録画終了時刻に対して、遅く録画を終了させるための、録画終了時刻の調整時間が複数用意され、ユーザに、その中から選択させるための設定画面の表示が制御され、設定画面を参照して入力された録画のための設定の読み込みが制御され、設定の保存が制御され、ＲＴＣの時刻が修正されていない場合には、時刻が修正されていない旨の表示が制御される。
【００１０】
【発明の実施の形態】
以下、図を参照して、本発明の実施の形態について説明する。
【００１１】
図１は、本発明に係る画像記録再生システムの一実施の形態を示す図である。パーソナルコンピュータ１は、所定のテレビジョン放送局から送信された電波を受信したアンテナ２から供給される信号を入力し、所定の画像および音声（いわゆる、番組の画像および音声）を再生し、その画像および音声を記録する。また、パーソナルコンピュータ１は、ＶＣＲ（Video Cassette Recorder）３から供給されたアナログ信号、またはIEEE（Institute of Electrical and Electronic Engineers）1394などのネットワーク６−１および６−２を介してＤＶＣＲ（Digital Video Cassette Recorder）４または撮像機能付きのＤＶＣＲ５から供給されたデジタルデータに対応する画像および音声を再生し、その画像および音声を記録する。
【００１２】
パーソナルコンピュータ１は、記録している音声および画像に対応するアナログ信号（例えば、ＮＴＳＣ（National Television System Committee）方式のアナログ信号など）をＶＣＲ３に供給し、または、記録している音声および画像に対応するデジタルデータをＤＶＣＲ４に供給する。加えて、パーソナルコンピュータ１は、記録している音声および画像を編集することができる。
【００１３】
図２は、パーソナルコンピュータ１の構成を説明するブロック図である。ＣＰＵ（central processing unit）２１は、各種アプリケーションプログラムや、基本的なＯＳ（operating system）を実際に実行する。ＲＯＭ（read-only memory）２２は、一般的には、ＣＰＵ２１が使用するプログラムや演算用のパラメータのうちの基本的に固定のデータを格納する。ＲＡＭ（random-access memory）２３は、ＣＰＵ２１の実行において使用するプログラムや、その実行において適宜変化するパラメータを格納する。ＲＴＣ（Real Time Clock）３５は、パーソナルコンピュータ１の動作を制御するための時刻データを供給する。例えば、ＣＰＵ２１が使用するプログラム（例えば、図4を用いて後述する予約／時刻監視プログラムなど）が、時刻を参照する必要がある場合、ＣＰＵ２１は、ＲＴＣ３５を参照しながら、それらのプログラムを実行する。ＣＰＵ２１、ＲＯＭ２２、ＲＡＭ２３、およびＲＴＣ３５は、ＣＰＵバスまたはメモリバスなどから構成されるホストバス２４により相互に接続されている。
【００１４】
ホストバス２４は、ブリッジ２５を介して、ＰＣＩ（Peripheral Component Interconnect/Interface）バスなどの外部バス２６に接続されている。
【００１５】
キーボード２８は、ＣＰＵ２１に各種の指令を入力するとき、ユーザにより操作される。マウス２９は、ＣＲＴ（cathode ray tube）３０の画面上のポイントの指示や選択を行うとき、ユーザにより操作される。ＣＲＴ３０は、各種情報をテキストやイメージで表示する。ＨＤＤ（hard disk drive）３１は、ハードディスクを駆動し、それらにＣＰＵ２１によって実行するプログラムや情報を記録または再生させる。スピーカ３２は、所定の音声を再生する。ドライブ３３には、必要に応じて磁気ディスク１０１、光ディスク１０２、光磁気ディスク１０３、および半導体メモリ１０４が挿入され、データの授受を行う。
【００１６】
これらのキーボード２８乃至ドライブ３３は、インターフェース２７に接続されており、インターフェース２７は、外部バス２６、ブリッジ２５、およびホストバス２４を介してＣＰＵ２１に接続されている。
【００１７】
画像処理ボード３４は、ＣＰＵ２１の制御の基に、アンテナ２から供給された信号、ＶＣＲ３から供給される画像または音声のアナログ信号、または、ネットワーク６−１を介して、ＤＶＣＲ４またはＤＶＣＲ５から供給される画像または音声のデジタルデータを基に、所定の画像または音声のデータを生成し、外部バス２６およびインターフェース２７を介して、ＨＤＤ３１に出力する。
【００１８】
また、画像処理ボード３４は、外部バス２６およびインターフェース２７を介して、ＨＤＤ３１に記録されている画像または音声のデータの入力を受け、入力された画像または音声のデータに対応するアナログ信号を生成して、ＶＣＲ３に供給し、または、入力された画像または音声のデータに対応するデジタルデータを生成して、ネットワーク６−１を介して、ＤＶＣＲ４に供給する。
【００１９】
画像処理ボード３４は、外部バス２６、ブリッジ２５、およびホストバス２４を介してＣＰＵ２１に接続されている。
【００２０】
次に、画像処理ボード３４の構成について説明する。図３は、画像処理ボード３４の構成を示す図である。１３９４インターフェース５１は、IEEE1394の規定に対応する構成を有し、ネットワーク６−１に接続され、IEEE1394の規定に対応するプロトコルに基づき、ＤＶＣＲ４またはＤＶＣＲ５から供給される画像または音声のＤＶＣＲフォーマットのデジタルデータを受信し、ＤＶ（Degital Video）データインターフェース５２に供給する。
【００２１】
また、１３９４インターフェース５１は、ＤＶデータインターフェース５２から供給された画像または音声のＤＶＣＲフォーマットのデジタルデータを、IEEE1394の規定に対応するプロトコルに基づき、ＤＶＣＲ４に供給する。
【００２２】
ＤＶデータインターフェース５２は、１３９４インターフェース５１から供給されたＤＶＣＲフォーマットの画像または音声のデジタルデータ、またはデジタルセレクタ５７から供給された画像または音声のデジタルデータ（例えば、いわゆる、４：１：１などの圧縮されていないデジタルデータなど）をＤＶデータ圧縮伸張回路５３に出力し、ＤＶデータ圧縮伸張回路５３から供給されたＤＶＣＲフォーマットの画像または音声のデジタルデータを１３９４インターフェース５１に出力し、ＤＶデータ圧縮伸張回路５３から供給されたデジタルセレクタ５７から供給された画像または音声のデジタルデータ（圧縮されていない）をデジタルセレクタ５７に出力する。
【００２３】
ＤＶデータ圧縮伸張回路５３は、ＤＶデータインターフェース５２から供給されたＤＶＣＲフォーマットの画像または音声のデジタルデータを、圧縮されていない画像または音声のデジタルデータに伸張して、ＤＶデータインターフェース５２に出力し、または、ＤＶデータインターフェース５２から供給された圧縮されていない画像または音声のデジタルデータを、ＤＶＣＲフォーマットの画像または音声のデジタルデータに圧縮し、ＤＶデータインターフェース５２に出力する。
【００２４】
チューナ５４は、アンテナ２から供給されたＲＦ（radio Frequency）信号を入力し、所定のチャンネルの画像および音声のアナログ信号をアナログセレクタ５５に出力する。アナログセレクタ５５は、チューナ５４、ＶＣＲ３、またはＤ／Ａ（Digital/Analog）変換回路６１から供給された画像または音声のアナログ信号のいずれかを選択し、Ａ／Ｄ（Analog/Digital）変換回路５６またはＶＣＲ３に出力する。
【００２５】
Ａ／Ｄ変換回路５６は、アナログセレクタ５５から供給された画像および音声のアナログ信号を、デジタルデータ（例えば、いわゆる、４：１：１などの画像データなど）に変換し、デジタルセレクタ５７に出力する。デジタルセレクタ５７は、ＤＶデータインターフェース５２、Ａ／Ｄ変換回路５６、またはＭＰＥＧ（Moving Picture Experts Group）デコーダ６０から出力された画像および音声のデジタルデータを入力し、いずれかの画像および音声のデジタルデータを選択し、ＤＶデータインターフェース５２、ＭＰＥＧエンコーダ５８、またはＤ／Ａ変換回路６１に出力するとともに、ブリッジ５９に出力し、シーンの切り換えの位置の情報をブリッジ５９に出力する。
【００２６】
ＭＰＥＧエンコーダ５８は、デジタルセレクタ５７から供給された画像および音声のデジタルデータを、ＭＰＥＧ方式のデジタルデータに圧縮し、ブリッジ５９に出力する。また、ＭＰＥＧエンコーダ５８は、シーンの切り替わりの画像を、静止画像に変換し、ブリッジ５９に出力する。
【００２７】
ブリッジ５９は、デジタルセレクタ５７から供給された画像および音声のデジタルデータ（圧縮されてない）を、画像処理ボード３４が装着されているパーソナルコンピュータ１のＰＣＩバス２６およびインターフェース２７を介して、ＣＲＴ３０に出力する。ブリッジ５９は、ＭＰＥＧエンコーダ５８から供給されたＭＰＥＧ方式の画像または音声のデジタルデータを、画像処理ボード３４が装着されているパーソナルコンピュータ１のＰＣＩバス２６を介して、ＨＤＤ３１、またはＣＰＵ２１に出力する。更に、ブリッジ５９は、ＰＣＩバス２６を介して、パーソナルコンピュータ１のＨＤＤ３１から、ＭＰＥＧ方式の画像または音声のデジタルデータを受信し、ＭＰＥＧデコーダ６０に出力する。
【００２８】
ＭＰＥＧデコーダ６０は、ブリッジ５９から供給されたＭＰＥＧ方式の画像または音声のデジタルデータを伸張して、圧縮されていない画像または音声のデジタルデータとし、デジタルセレクタ５７に出力する。
【００２９】
Ｄ／Ａ変換回路６１は、デジタルセレクタ５７から供給された画像および音声のデジタルデータを、アナログ信号に変換し、アナログセレクタ５５に出力する。
【００３０】
なお、ＭＰＥＧエンコーダ５８またはＭＰＥＧデコーダ６０に対応する処理は、所定のプログラムにより、ＣＰＵ２１が実行するようにしてもよい。
【００３１】
図４は、パーソナルコンピュータ１が実行するアプリケーションプログラム、ミドルウェア、およびドライバ類の構成を説明する図である。ミドルウェアは、アプリケーションプログラムからの要求に対応し、所定のドライバ類を動作させる。ドライバ類は、画像処理ボード３４のＭＰＥＧエンコーダ５８など、所定のハードウェアのリソースを、実際に動作させる。
録画再生プログラム８１は、画像処理ボード３４に、チューナ５４で受信した所定のチャンネルの画像および音声のアナログ信号、ＶＣＲ３から供給された画像および音声のアナログ信号、またはネットワーク６−１を介して、ＤＶＣＲ４から供給された画像および音声のデジタルデータのいずれかを選択させ、選択されたアナログ信号またはデジタルデータをＭＰＥＧ方式の画像または音声のデジタルデータに変換させ、１以上の所定の形式のファィルから構成されるＡＶ（Audio Visual）コンテンツとして、ＨＤＤ３１に記録させる。
【００３２】
また、録画再生プログラム８１は、１以上の所定の形式のファイルとしてＨＤＤ３１に記録されているＡＶコンテンツを、画像処理ボード３４において伸張させて、圧縮されていない所定の画像または音声のデジタルデータを生成し、画像をＣＲＴ３０に表示させ、音声をスピーカ３２に再生させる。
【００３３】
ＲＴＣ修正プログラム８２は、チューナ５４に、所定の時刻に放送される時報（例えば、ＮＨＫ教育テレビ（３チャンネル）の１２時の時報）を受信させ、それを検出させることにより、ＲＴＣ３５の時刻を修正するプログラムである。ＲＴＣ修正プログラム８２についての詳細は、図５を用いて後述する。
【００３４】
録画予約設定プログラム８３は、ユーザが録画予約の設定を行うためＧＵＩ（Graphical User Interface）をＣＲＴ３０に表示させ、ユーザがＧＵＩを参照しながらキーボード２８、もしくはマウス２９を用いて入力した設定に基づき、録画予約を実行させるＡＶコンテンツを作成し、コンテンツデータベース９２に記録させるプログラムである。録画予約設定プログラム８３についての詳細は、図７を用いて後述する。
【００３５】
予約／時刻監視プログラム８４は、パーソナルコンピュータ１が動作しているとき（ＯＳが動作しているとき）、常に動作し（いわゆる、常駐している）、録画予約設定プログラム８３が作成した録画予約を実行させるＡＶコンテンツ、および、ＲＴＣ３５から供給される時刻を基に、録画予約を実行する。また、予約／時刻監視プログラム８４は、ＲＴＣ３５を監視し、所定の時刻にＲＴＣ修正プログラム８２を起動させる。
【００３６】
ハードウェアインターフェース９１は、録画再生プログラム８１、ＲＴＣ修正プログラム８２、録画予約設定プログラム８３、または予約／時刻監視プログラム８４が要求する、ハードウェアリソースの使用を調停し、各種の優先順位などの設定に基づき、アプリケーションプログラムが所定のハードウェアリソースを適切に利用できるようにする。
【００３７】
コンテンツデータベース９２は、ＡＶコンテンツの属性のデータなどを管理し、録画再生プログラム８１、録画予約設定プログラム８３、または予約／時刻監視プログラム８４に対し、ＡＶコンテンツの属性データ、またはＡＶコンテンツに対応する画像または音声のデジタルデータを記憶しているファイルを特定するためのデータを提供するデータベースである。
【００３８】
ファイルＩ／Ｏ（Input/Output）９３は、コンテンツデータベース９２を介して、録画再生プログラム８１、録画予約設定プログラム８３、または予約／時刻監視プログラム８４の所定のＡＶコンテンツ（１以上のファイルから構成される）に対する読み出し、または書き込みの要求に対応し、実際に、所定のファイルに対しデータの読み出し、または書き込みを実行する。
【００３９】
エンコード９４は、画像処理ボード３４のＭＰＥＧエンコーダ５８に、デジタルセレクタ５７から入力された画像または音声のデータを、ＭＰＥＧ方式のデジタルデータに圧縮させる制御を実行する。
【００４０】
デコード９５は、画像処理ボード３４のＭＰＥＧデコーダ６０に、ブリッジ５９から入力されたＭＰＥＧ方式の画像または音声のデジタルデータを、伸張させる制御を実行する。
【００４１】
出力切り換え９６は、画像処理ボード３４のアナログセレクタ５５、および１３９４インターフェース５１を動作させ、画像処理ボード３４からのアナログ信号またはネットワーク６−１を介するデジタルデータの出力を制御する。
【００４２】
入力切り換え９７は、画像処理ボード３４のアナログセレクタ５５、１３９４インターフェース５１、ＤＶデータインターフェース５２、およびデジタルセレクタ５７を動作させ、画像処理ボード３４に入力されるアナログ信号またはデジタルデータを選択する。
【００４３】
画面表示９８は、デジタルセレクタ５７およびブリッジ５９などを動作させ、ＣＲＴ３０への画像の表示を制御する。
【００４４】
ドライバ９９は、エンコード９４、デコード９５、出力切り換え９６、入力切り換え９７、および画面表示９８の要求に対応し、画像処理ボード３４を実際に動作させるプログラムである。
【００４５】
図５は、ＲＴＣ修正プログラム８２がＣＰＵ２１にロードされ、起動された場合の機能ブロック図である。
【００４６】
修正処理部１２１は、アンテナ２を介してチューナ５４が受信している放送のチャンネルを検出し、ＲＴＣ３５が示す現在時刻を参照しながら、必要に応じて、チューナ５４が受信するチャンネルを変更させたり、時報検出部１２２から入力される信号に基づいて、ＲＴＣ３５の時刻の設定を変更したり、その変更内容、もしくは変更ができなかったことを示すデータを、ログメモリ１２３に記録する。ログメモリ１２３は、ＨＤＤ３１の記憶領域のうちの一部であり、修正処理部１２１から入力されたデータを保存する。時報検出部１２２は、チューナ５４が受信した音声データの周波数から、時報を示す音声データの周波数およびその回数を検出することにより、時報の受信を検出する。
【００４７】
修正処理部１２１は、ＲＴＣ３５から供給される時刻を参照し、所定の時刻から所定の時刻までの間（例えば、１１時５５分から１２時５分までの間）、チューナ５４が放送を受信中であるかを調べ、受信中である場合は、どのチャンネルを受信しているかを調べる。
【００４８】
１１時５５分から１２時５分までの間に、チューナ５４が、どの放送も受信していない場合、修正処理部１２１は、チューナ５４に３チャンネルの放送の受信させ、時報検出部１２２に、１２時の時報の受信の監視を開始させる。時報検出部１２２は、チューナ５４が受信した音声信号の周波数を監視し、１２時の時報に対応する周波数とその回数（４４０Ｈｚ５回と８８０Ｈｚ１回）を検出することによって、時報の受信を検出する。そして、時報検出部１２２は、時報の受信を検出した場合、時報の受信の検出を知らせる信号を修正処理部１２１に出力する。修正処理部１２１は、時報の受信の検出を知らせる信号の入力を受け、ＲＴＣ３５の設定時刻を１２時０分α（αは、時報の受信からＲＴＣ３５の設定時刻の修正処理にかかる時間によって異なる）秒に修正し、修正結果（何月何日に何秒遅らせた（進ませた）かを表すデータ）をログメモリ１２３に記録する。
【００４９】
また、１１時５５分から１２時５分までの間に、チューナ５４が３チャンネルを受信していると判断された場合も、チューナ５４の受信チャンネルを変更させずに、同様の処理が行われる。
【００５０】
そして、修正処理部１２１は、チューナ５４が３チャンネル以外の放送を受信中であると判断した場合、もしくはＲＴＣ３５から供給される現在時刻が１２時５分になっても、時報検出部１２２から、時報の検出を知らせる信号が入力されなかった場合、ＲＴＣ３５の設定時刻を修正できなかったことを示すデータをログメモリ１２３に記録する。
【００５１】
次に、図６のフローチャートを参照して、ＲＴＣ修正処理について説明する。
【００５２】
ステップＳ１において、予約／時刻監視プログラム８４の処理を実行しているＣＰＵ２１は、ＲＴＣ３５から供給される現在時刻が１１時５５分か否かを判断する。ステップＳ１において、現在時刻が１１時５５分ではないと判断された場合、１１時５５分であると判断されるまで、ステップＳ１の処理が繰り返される。
【００５３】
ステップＳ１において、現在時刻が１１時５５分であると判断された場合、ステップＳ２において、ＣＰＵ２１は、ＲＴＣ修正プログラム８２を起動する。
【００５４】
ステップＳ３において、修正処理部１２１は、チューナ５４が３チャンネル以外のチャンネルの放送を受信中であるか否かを判断する。ステップＳ３において、チューナ５４が３チャンネル以外のチャンネルの放送を受信中であると判断された場合、処理は、ステップＳ８に進む。
【００５５】
ステップＳ３において、チューナ５４は３チャンネル以外のチャンネルの放送の受信中ではないと判断された場合、ステップＳ４において、修正処理部１２１は、チューナ５４に３チャンネルの放送を受信させ、時報検出部１２２は、受信している３チャンネルの放送の音声信号を取り込み、１２時の時報の監視を開始する。時報検出部１２２は、チューナ５４から取り込んだ音声信号の周波数を監視し、時報を示す周波数の信号が所定の回数受信されたことを確認した場合、時報の受信の検出を示す信号を修正処理部１２１に出力する。
【００５６】
ステップＳ５において、修正処理部１２１は、時報検出部１２２から供給される信号に従って、１２時の時報が確認できたか否かを判断する。
【００５７】
ステップＳ５において、１２時の時報が確認できたと判断された場合、修正処理部１２１は、ステップＳ６において、ＲＴＣ３５の設定時刻を１２時０分α（αは、時報の受信からＲＴＣ３５の設定時刻の修正処理にかかる時間によって異なる）秒に修正し、ステップＳ７において、修正結果（何月何日に何秒遅らせた（進ませた）かを表すデータ）をログメモリ１２３に記録する。
【００５８】
ステップＳ５において、１２時の時報が確認されなかったと判断された場合、ステップＳ８において、修正処理部１２１は、ＲＴＣ３５を参照し、現在時刻は１２時５分であるか否かを判断する。ステップＳ８において、現在時刻が１２時５分ではないと判断された場合、処理はステップＳ３に戻り、それ以降の処理が繰り返される。
【００５９】
ステップＳ８において、現在時刻が１２時５分であると判断された場合、ステップＳ９において、修正処理部１２１は、ＲＴＣ３５の設定時刻を修正できなかったことをログメモリ１２３に記録する。
【００６０】
ステップＳ１０において、ＣＰＵ２１は、ＲＴＣ修正プログラム８２を終了させ、処理を終了する。
【００６１】
以上のようにして、ＲＴＣ修正処理においては、所定の時刻から所定の時刻の間、時報の受信が監視され、時報が受信されてＲＴＣ３５が修正された場合は、その修正内容をログメモリ１２３に記憶させ、時報が受信できず、ＲＴＣ３５を修正することができなかった場合は、ＲＴＣ３５が修正できなかったことをログメモリ１２３に記憶させるようにしたので、後述する録画予約設定処理において、ユーザにＲＴＣ３５の修正状況を知らせることが可能となる。
【００６２】
図７は、録画予約設定プログラム８３がＣＰＵ２１にロードされ、起動された場合の機能ブロック図である。
【００６３】
ＧＵＩ入出力制御部１３１は、ユーザが録画予約の設定を行うためのＧＵＩに対応するデータをＨＤＤ３１から読み出し、ＣＲＴ３０に表示させる。このとき、ＧＵＩ入出力制御部１３１は、図５を用いて説明したＲＴＣ修正プログラムの処理結果をログメモリ１２３から読み出して、必要に応じてＧＵＩに表示させる。また、ＧＵＩ入出力制御部１３１は、ユーザがＧＵＩを参照しながらキーボード２８、もしくはマウス２９を用いて入力した設定の入力を受け、ＡＶコンテンツ作成部１３２に供給する。
【００６４】
ＡＶコンテンツ作成部１３２は、ＧＵＩ入出力制御部１３１から入力された録画予約の設定を基に、ＡＶコンテンツを作成し、コンテンツデータベース９２に記録させる。すなわち、このＡＶコンテンツには、予約された録画を実行させるための各種の設定内容（録画開始時刻、録画終了時刻、受信チャンネル、および画質を決定する録画モードなど）が記憶される。
【００６５】
録画予約設定プログラム８３は、例えば、録画予約設定プログラム８３を表すアイコンを、ＣＲＴ３０に表示させ、ユーザが、そのアイコンを、マウス２９を用いてダブルクリックすることにより、起動されるようにしてもよい。
【００６６】
図８に、録画予約設定プログラム８３の起動時にＣＲＴ３０に表示されるＧＵＩ１４１を示す。新規予約の設定を行いたい場合、ユーザは、ツールバー上の録画予約ボタン１４２をクリックし、メニュー１４３を表示させ、新規予約を選択し、図９に示される、新規予約設定を入力するためのＧＵＩ１５１を表示させることができる。
【００６７】
ユーザは、表示される全てのＧＵＩにおいて、その下部に表示されるボタンのうち選択可能な状態（アクティブ）のボタンを、キーボード２８もしくはマウス２９を用いて選択することにより、任意にその前後のＧＵＩ画面に移動することができる。例えば、図９のＧＵＩ１５１がＣＲＴ３０に表示されている状態で、ＧＵＩ入出力制御部１３１が、ユーザが「次へ」ボタン１５３を選択したことを示す信号の入力を受けた場合、ＧＵＩ入出力制御部１３１は、図１０のＧＵＩ１６１に対応するデータをＨＤＤ３１から読みだしてＣＲＴ３０に表示させる。また、図１０のＧＵＩ１６１がＣＲＴ３０に表示されている状態で、ＧＵＩ入出力制御部１３１が、ユーザが「戻る」ボタン１６３を選択したことを示す信号の入力を受けた場合、ＧＵＩ入出力制御部１３１は、図９のＧＵＩ１５１に対応するデータをＨＤＤ３１から読みだしてＣＲＴ３０に表示させる。そして、ユーザは、ＧＵＩ１５１とＧＵＩ１６１を任意に切り替えながら録画予約の設定を行う。
【００６８】
ユーザが、設定入力部１５２（図９）もしくは設定入力部１６２（図１０）に入力した各種の設定の内容は、ＧＵＩ入出力制御部１３１に入力される。そして、ユーザは、全ての設定が終了したときに、「決定」ボタン１６４（図１０）を選択し、録画予約設定を終了させることができる。ＧＵＩ入出力制御部１３１は、ユーザが「決定」ボタン１６４を選択したことを示す信号の入力を受けた場合、入力された各種の設定の内容をＡＶコンテンツ作成部１３２に出力する。ＡＶコンテンツ作成部１３２は、入力された各種設定を基に、録画予約のためのＡＶコンテンツを作成し、コンテンツデータベース９２に記憶させる。
【００６９】
また、ユーザが、図１１に示すツールバー上の設定ボタン１７１をクリックして、メニュー１７２において時刻合わせの設定を選択した場合、ＧＵＩ入出力制御部１３１は、ログメモリ１２３から、ＲＴＣ３５の修正履歴を読み出し、図１２に示される、時刻合わせの設定画面であるＧＵＩ１８１を表示させる。チェックボックス１８２は、図６を用いて説明したＲＴＣ修正処理を行うか否かをユーザが選択するものであり、チェックボックス１８２がチェックされた場合、図６を用いて説明したＲＴＣ修正処理が行われる。リストボックス１８３には、ＲＴＣ修正処理による修正履歴が表示される。
【００７０】
次に、図１３のフローチャートを参照して、録画予約設定処理について説明する。
【００７１】
例えば、ＣＲＴ３０に表示されている録画予約設定プログラム８３を表すアイコンを、ユーザがマウス２９を用いてダブルクリックすることにより、ステップＳ２１において、ＣＰＵ２１は、録画予約設定プログラム８３を起動する。ＧＵＩ入出力制御部１３１は、図８を用いて説明したＧＵＩ１４１に対応するデータをＨＤＤ３１から読みだしてＣＲＴ３０に表示させ、ユーザがキーボード２８もしくはマウス２９を用いてメニュー１４３から新規予約を選択したことを示す信号を受ける。
【００７２】
ステップＳ２２において、ＧＵＩ入出力制御部１３１は、ログメモリ１２３に記録されているＲＴＣ３５の修正記録を読み込む。
【００７３】
ステップＳ２３において、ＧＵＩ入出力制御部１３１は、ステップＳ２２において読み込んだＲＴＣ３５の修正記録を基に、最新の修正記録は、ＲＴＣ３５の設定時刻が修正されたことを示しているか否かを判断する。
【００７４】
ステップＳ２３において、最新の修正記録は、ＲＴＣ３５の設定時刻が修正されなかったことを示していると判断された場合、ステップＳ２４において、ＧＵＩ入出力制御部１３１は、図９に示すＧＵＩ１５１に対応するデータをＨＤＤ３１から読みだしてＣＲＴ３０に表示させる。ここでは、ユーザに、ＲＴＣ３５の設定時刻が修正されていないことを示すために表示されるメッセージ１５４を、ユーザに分かりやすいものにするため、ＲＴＣ３５を「時計」と表現している。ユーザは、ＧＵＩ１５１を確認することにより、ＲＴＣ３５の設定時刻が修正されていないこと、および最終修正日を知ることができる。
【００７５】
ステップＳ２３において、最新の修正記録は、ＲＴＣ３５の設定時刻が修正されたことを示していると判断された場合、ステップＳ２５において、ＧＵＩ入出力制御部１３１は、図１４に示すＧＵＩ１５１に対応するデータをＨＤＤ３１から読みだしてＣＲＴ３０に表示させる。ユーザは、ＧＵＩ１５１を確認し、メッセージ１５４が表示されていないことから、ＲＴＣ３５の設定時刻が正しく修正されていることを知ることができる。
【００７６】
ステップＳ２６において、ＧＵＩ入出力制御部１３１は、図９もしくは図１４に示すＧＵＩ１５１の「開始時間の調整」チェックボックス１５５がチェックされたか否かを判断する。ステップＳ２６において、「開始時間の調整」チェックボックス１５５がチェックされていないと判断された場合、処理はステップＳ２８に進む。
【００７７】
ステップＳ２６において、「開始時間の調整」チェックボックス１５５がチェックされたと判断された場合、ステップＳ２７において、ＧＵＩ入出力制御部１３１は、図１５に示されるように、開始時間調整リストボックス１９１をアクティブ（すなわち、ユーザが、数値の設定を入力できる状態）にする。ユーザは、この状態において、開始時刻の調整時間を入力することができ、開始時刻の調整は、例えば、１分／３分／５分で、任意に選択可能とする。
【００７８】
ステップＳ２８において、ＧＵＩ入出力制御部１３１は、図１０に示すＧＵＩ１６１の「終了時間の調整」チェックボックス１６５がチェックされたか否かを判断する。ステップＳ２６において、「終了時間の調整」チェックボックス１６５がチェックされていないと判断された場合、処理はステップＳ３０に進む。
【００７９】
ステップＳ２８において、「終了時間の調整」チェックボックス１６５がチェックされたと判断された場合、ステップＳ２９において、ＧＵＩ入出力制御部１３１は、図１６に示されるように、延長設定リストボックス２０１をアクティブ（すなわち、ユーザが、数値の設定を入力できる状態）にする。ユーザは、この状態において、終了時刻の調整時間を入力することができ、終了時刻の調整は、例えば、３０分／６０分／９０分で、任意に選択可能とする。
【００８０】
ステップＳ３０において、ＧＵＩ入出力制御部１３１は、「決定」ボタン１６４が選択されたか否かを判断する。ステップＳ３０において、「決定」ボタン１６４が選択されたと判断されなかった場合、「決定」ボタン１６４が選択されたと判断されるまで、ステップＳ３０の処理が繰り返される。
【００８１】
ステップＳ３０において、「決定」ボタン１６４が選択されたと判断された場合、ステップＳ３１において、ＧＵＩ入出力制御部１３１は、設定入力部１５２および設定入力部１６２に入力された設定を読み込み、ＡＶコンテンツ作成部１３２に出力する。ＡＶコンテンツ１３２は、入力された設定に基づいて、録画予約を行うため情報を含んだＡＶコンテンツを作成し、コンテンツデータベース９２に記録する。
【００８２】
ステップＳ３２において、ＣＰＵ２１は、録画予約設定プログラム８３を終了させて、処理が終了する。
【００８３】
このようにして、ユーザは、録画予約の設定時に、録画したい番組の開始時刻および終了時刻に対する調整を行うことができる。すなわち、ユーザは、パーソナルコンピュータ１のＲＴＣ３５が示す時刻が正しく修正されているかを確認することができるので、その情報に基づいて、録画したい番組の開始時間よりも早く録画が開始されるように、録画開始時刻を早める設定を簡単に行うことができる。更に、例えば、野球放送の延長などよって、録画したい番組の終了時間が変更される可能性がある場合、ユーザは、その番組を最後まで録画することができるように、録画の終了時間の延長を簡単に設定することができる。
【００８４】
図６を用いて説明したＲＴＣ修正処理および図１３を用いて説明した録画予約設定処理においては、ＲＴＣ３５の修正ができなかった場合、ＲＴＣ３５の修正ができなかったことをログメモリ１２３に記録し（図６のステップＳ９）、録画予約設定画面であるＧＵＩ１５１において、ＲＴＣ３５が修正されていないことを表示した（図１３のステップ２４）。これに対して、ＲＴＣ３５の修正ができなかった場合、ログメモリ１２３に記録されている過去の修正履歴に基づいて、ＲＴＣ３５を修正するようにしてもよい。
【００８５】
ここで、図１７のフローチャートを参照して、ログメモリ１２３に記録されている過去の修正履歴に基づいて、ＲＴＣ３５を修正するようにした場合における、ＲＴＣ修正処理について説明する。
【００８６】
ここで、ステップＳ４１乃至ステップＳ４５においては、図６におけるステップＳ１乃至ステップＳ５と同様の処理が行われ、ＣＰＵ２１は、ＲＴＣ３５が示す時刻が１１時５５分になったと判断された場合に、ＲＴＣ修正プログラム８２を起動し、修正処理部１２１は、チューナ５４が３チャンネル以外の放送の受信中でない場合は、３チャンネルの放送を受信させ、１２時の時報を監視し、１２時の時報が確認できたか否かを判断する。
【００８７】
ステップＳ４５において、１２時の時報が確認できたと判断された場合、ステップＳ４６において、修正処理部１２１は、図６のステップＳ６と同様の処理により、ＲＴＣ３５の設定時刻を修正し、処理はステップＳ４９に進む。
【００８８】
ステップＳ４５において、１２時の時報が確認できなかったと判断された場合、ステップＳ４７において、修正処理部１２１は、図６のステップＳ８と同様の処理により、現在時刻が１２時５分か否かを判断する。ステップＳ４７において、現在時刻が１２時５分ではないと判断された場合、処理は、ステップＳ４３に戻り、それ以降の処理が繰り返される。
【００８９】
ステップＳ４７において、現在時刻が１２時５分であると判断された場合、ステップＳ４８において、修正処理部１２１は、ログメモリ１２３に記録されている過去の修正履歴から、最新の修正履歴を参照し、ＲＴＣ３５に対して、それと同じ修正を行う。
【００９０】
ステップＳ４９において、修正処理部１２１は、ステップＳ４６もしくはステップＳ４８において実行されたＲＴＣ３５の修正内容を、ログメモリ１２３に記録する。
【００９１】
ステップＳ５０において、ＣＰＵ２１は、ＲＴＣ修正プログラム８２を終了し、処理が終了する。
【００９２】
ここでは、時報の検出によるＲＴＣ３５の設定時刻の修正ができなかった場合に、最新の修正履歴を基に、ＲＴＣ３５の設定時刻を修正したが、例えば、所定の日数の設定時刻の修正値を平均することなどの、他の方法を用いて、ＲＴＣ３５の設定時刻の修正を行うようにしてもよい。
【００９３】
また、図１７を用いて説明したＲＴＣ修正処理を実行した場合、１１時５５分から１２時５分までの間に、必ずＲＴＣ３５は修正される。この場合における録画予約設定処理を、図１８のフローチャートを参照して説明する。
【００９４】
ステップＳ７１において、図１３のステップＳ２１と同様の処理により、ＣＰＵ２１は、録画予約設定プログラム８３を起動する。ＧＵＩ入出力制御部１３１は、図８を用いて説明したＧＵＩ１４１に対応するデータをＨＤＤ３１から読みだしてＣＲＴ３０に表示させ、ユーザがキーボード２８もしくはマウス２９を用いてメニュー１４３から新規予約を選択したことを示す信号を受ける。
【００９５】
ステップＳ７２において、ＧＵＩ入出力制御部１３１は、図１４に示すＧＵＩ１５１に対応するデータをＨＤＤ３１から読みだしてＣＲＴ３０に表示させる。ここでは、図１７を用いて前述したＲＴＣ修正処理により、ＲＴＣ３５は、必ず修正されているため、図９に示されるような、ＲＴＣ３５が修正されなかったことを示すメッセージ１５４が表示されることはない。
【００９６】
そして、ステップＳ７３乃至ステップＳ７９においては、図１３のステップＳ２６乃至ステップＳ３２と同様の処理が行われ、ユーザが入力した録画予約の設定に基づいたＡＶコンテンツが作成され、コンテンツデータベース９２に記録され、処理が終了される。
【００９７】
以上の処理により、例えば、１２時前後に他のチャンネルを受信していたために、時報を検出することができず、ＲＴＣ３５の設定時刻を修正できなかった場合においても、ログメモリ１２３に記録されている修正履歴に基づいてＲＴＣ３５の設定時刻が修正される。また、ユーザは、この場合においても、ログメモリ１２３に記録されているＲＴＣ３５の修正の履歴を、図１２を用いて説明したＧＵＩ１８１をＣＲＴ３０に表示させることにより確認することができるのはもちろんである。
【００９８】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【００９９】
コンピュータにインストールされ、コンピュータによって実行可能な状態とされるプログラムを格納するプログラム格納媒体は、図３に示すように、磁気ディスク１０１（フロッピディスクを含む）、光ディスク１０２（ＣＤ-ＲＯＭ（Compact Disk-Read Only Memory）、ＤＶＤ（Digital Versatile Disk）を含む）、光磁気ディスク１０３（ＭＤ（Mini-Disk）を含む）、もしくは半導体メモリ１０４などよりなるパッケージメディア、または、プログラムが一時的もしくは永続的に格納されるＲＯＭ２２や、ＨＤＤ３１のハードディスクなどにより構成される。プログラム格納媒体へのプログラムの格納は、必要に応じて、図４に示される１３９４インターフェース５１などのインターフェースを介して、ローカルエリアネットワーク、インターネット、デジタル衛星放送といった、有線または無線の通信媒体を利用して行われる。
【０１００】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１０１】
なお、本明細書において、システムとは、複数の装置により構成される装置全体を表すものである。
【０１０２】
【発明の効果】
本発明の情報処理装置、情報処理方法、およびプログラム記録媒体に記録されているプログラムによれば、受信した時報に基づいて、ＲＴＣの時刻を修正し、ユーザによる録画開始時刻および録画終了時刻の入力を補助するための、設定画面の表示を制御し、設定された録画開始時刻に対して、早く録画を開始させるための、録画開始時刻の調整時間を複数用意し、ユーザに、その中から選択させるための設定画面の表示を制御し、設定された録画終了時刻に対して、遅く録画を終了させるための、録画終了時刻の調整時間を複数用意し、ユーザに、その中から選択させるための設定画面の表示を制御し、設定画面を参照して入力された録画のための設定の読み込みを制御し、設定の保存を制御し、ＲＴＣの時刻が修正されていない場合、時刻が修正されていない旨の表示を制御するようにしたので、例えば、内蔵時計の遅れによって、録画したい番組の先頭が録画できなかったり、放送の延長などにより、録画したい番組が最後まで録画できないようなことがないように、簡単に開始時刻および終了時刻の調整を設定することができる。
【図面の簡単な説明】
【図１】本発明に係る画像記録再生システムの一実施の形態を示す図である。
【図２】パーソナルコンピュータ１の構成を説明するブロック図である。
【図３】画像処理ボード３４の構成を示す図である。
【図４】パーソナルコンピュータ１が実行するアプリケーションプログラム、ミドルウェア、およびドライバ類の構成を説明する図である。
【図５】ＲＴＣ修正プログラムを説明するための機能ブロック図である。
【図６】ＲＴＣ修正処理を説明するためのフローチャートである。
【図７】録画予約設定プログラムを説明するための機能ブロック図である。
【図８】録画予約設定プログラムが起動した場合の表示画面を説明するための図である。
【図９】録画予約の設定画面を説明するための図である。
【図１０】録画予約の設定画面を説明するための図である。
【図１１】修正履歴を表示させる手順を説明するための図である。
【図１２】修正履歴の表示画面を説明するための図である。
【図１３】録画予約設定処理を説明するためのフローチャートである。
【図１４】録画予約の設定画面を説明するための図である。
【図１５】録画予約の設定画面を説明するための図である。
【図１６】録画予約の設定画面を説明するための図である。
【図１７】ＲＴＣ修正処理を説明するためのフローチャートである。
【図１８】録画予約設定処理を説明するためのフローチャートである。
【符号の説明】
１  パーソナルコンピュータ，  ２  アンテナ，  ６，６−１，６−１  ネットワーク，  ２１  ＣＰＵ，  ２３  ＲＡＭ，  ３４  画像処理ボード，  ３５ＲＴＣ，  ５４  チューナ，  ８１  録画再生プログラム，  ８２  ＲＴＣ修正プログラム，  ８３  録画予約設定プログラム，  ８４  予約／時刻監視プログラム  ９２  コンテンツデータベース，  １２１  修正処理部，  １２２  ログメモリ，  １３１  ＧＵＩ入出力制御部，  １３２  ＡＶコンテンツ作成部，１４１，１５１，１６１，１８１  ＧＵＩ
【図１】
0004415224.tif 000002
【図２】
0004415224.tif 000003
【図３】
0004415224.tif 000004
【図４】
0004415224.tif 000005
【図５】
0004415224.tif 000006
【図６】
0004415224.tif 000007
【図７】
0004415224.tif 000008
【図８】
0004415224.tif 000009
【図９】
0004415224.tif 000010
【図１０】
0004415224.tif 000011
【図１１】
0004415224.tif 000012
【図１２】
0004415224.tif 000013
【図１３】
0004415224.tif 000014
【図１４】
0004415224.tif 000015
【図１５】
0004415224.tif 000016
【図１６】
0004415224.tif 000017
【図１７】
0004415224.tif 000018
【図１８】
0004415224.tif 000019